(57)【要約】【課題】装置高さを低く抑えつつ、蓋体を良好に開閉することのできる充電装置を提供する。【解決手段】被充電機器Ｐによって蓋体４が本体３の内側に向けて押圧されるとき、蓋体４の支持部５に形成された第１のボス６が蓋体４の退入動作の軸とされつつ、第１のボス６を案内するための略水平方向に延びた第１の案内孔１１に沿ってスライド移動されることにより、蓋体４の先端が端子部材２１を回避するようにして蓋体４が移動する。【選択図】  図４
2004215330.tif 000002
【特許請求の範囲】
【請求項１】
本体と、この本体内に設けられ、充電されることにより動作可能な被充電機器を収容する収容部と、この収容部に設けられ、収容される前記被充電機器に対向するように突出した端子部材と、前記本体の内側に向けて退入するように支持され、前記本体の上面を覆う蓋体とを備え、前記蓋体を外部から押圧することにより前記蓋体を開放状態にするとともに、前記収容部に収容される前記被充電機器を、前記端子部材を介して充電するための充電装置であって、前記蓋体の両側端部から直交方向に延びた支持部材に形成された第１の案内部材と、
前記本体の両側面に沿って設けられ、前記第１の案内部材と係合して相対移動する第２の案内部材を有する側板部材と、
前記蓋体に対する前記被充電機器の押圧力に抗して前記蓋体を閉塞状態に付勢する弾性部材と、を備え、
前記被充電機器によって前記蓋体が前記本体の内側に向けて押圧されるとき、一方の案内部材が前記蓋体の退入動作の軸とされつつ、他方の案内部材と係合して相対移動されることにより、前記蓋体の先端が前記端子部材を回避するようにして前記蓋体が移動するように構成されたことを特徴とする、充電装置。
【請求項２】
本体と、この本体内に設けられ、充電されることにより動作可能な被充電機器を収容する収容部と、この収容部に設けられ、収容される前記被充電機器に対向するように突出した端子部材と、前記本体の内側に向けて退入するように支持され、前記本体の上面を覆う蓋体とを備え、前記蓋体を外部から押圧することにより前記蓋体を開放状態にするとともに、前記収容部に収容される前記被充電機器を、前記端子部材を介して充電するための充電装置であって、
前記蓋体の両側端部から直交方向に延びた支持部材に形成された第１の突起部材と、
前記本体の両側面に沿って設けられ、前記第１の突起部材を案内するための略水平方向に延びた第１の案内孔を有する側板部材と、
前記蓋体に対する前記被充電機器の押圧力に抗して前記蓋体を閉塞状態に付勢する弾性部材と、を備え、
前記被充電機器によって前記蓋体が前記本体の内側に向けて押圧されるとき、前記第１の突起部材が前記蓋体の退入動作の軸とされつつ、前記第１の案内孔に沿ってスライド移動されることにより、前記蓋体の先端が前記端子部材を回避するようにして前記蓋体が移動するように構成されたことを特徴とする、充電装置。
【請求項３】
前記支持部材には、前記第１の突起部材の形成位置から前記支持部材の延出方向に所定間隔を隔てて第２の突起部材が形成されており、
前記側板部材には、前記第１の突起部材を案内するための略湾曲状に延びた第２の案内孔が形成されており、
前記被充電機器によって前記蓋体が前記本体の内側に向けて押圧される際、前記第２の突起部材が前記第２の案内孔に沿って案内されることにより、前記第１の突起部材の前記第１の案内孔におけるスライド移動の開始を補助する、請求項２に記載の充電装置。
【請求項４】
前記第２の案内孔は、前記被充電機器によって前記蓋体が押圧されるとき、前記第２の突起部材が移動する第１の円弧部と、
この第１の円弧部とは異なる曲率半径を有し、かつ前記第１の突起部材が前記第１の案内孔の終端部に到達したとき、その第１の突起部材を軸にしてこの軸周りに前記第２の突起部材が回転移動する第２の円弧部とを有する、請求項３に記載の充電装置。
【請求項５】
前記蓋体の先端には、前記端子部材の汚れを除去するための除去部材が設けられている、請求項１ないし４のいずれかに記載の充電装置。
【発明の詳細な説明】
【０００１】
【発明の属する技術分野】
本発明は、充電されることにより動作可能な、たとえば携帯電話またはコードレス子機などの被充電機器を充電するための充電装置に関する。
【０００２】
【従来の技術】
従来より、一般家庭などで用いられている電話機には、携帯可能なコードレス子機などの被充電機器が付属されていることが多い。このような被充電機器は、携帯可能であるが、ユーザが未使用の場合には、電話機本体と別体に設けられた載置台に、あるいは電話機本体に一体的に設けられた載置台に載置される。また、被充電機器は、通常、その内部に備えられたバッテリが充電されることによって動作することから、上記載置台が被充電機器に対して充電を行うための充電器としての機能を兼ね備えている場合が多い。すなわち、被充電機器を上記載置台に載置すると、必要に応じて充電が行われる（たとえば、特許文献１参照）。
【０００３】
【特許文献１】
特開２０００−１４０２２号公報
【０００４】
このような載置台を有する充電装置においては、被充電機器の電極部と接触するための端子部材が設けられている。この充電装置では、端子部材を外部に露出させていると、端子部材におけるたとえば接触面の汚れや酸化皮膜の形成などにより被充電機器の電極部との間で接触不良を生じることがある。このような不具合を抑制するために、たとえば、被充電機器の非載置状態のときには、端子部材を外部に露出させないようにした蓋体が設けられた構成の充電装置が提案されている。
【０００５】
図８は、このような充電装置がファクシミリ装置と一体的に設けられる場合の外観図である。この充電装置１によれば、充電装置１の本体３上面に、端子部材（図示略）を覆う蓋体４が設けられ、被充電機器Ｐが蓋体４を上部から押圧することにより、蓋体４が開放され、被充電機器Ｐが端子部材と接触して被充電機器Ｐの充電が行われる。
【０００６】
【発明が解決しようとする課題】
この充電装置１では、被充電機器Ｐを立たせたまま載置させるが、このようなタイプの充電装置１にあっては、装置高さをできるだけ低くしたいといったデザイン上の要請がある場合がある。たとえば、図８に示す充電装置１の場合、充電装置１をファクシミリ装置２の手前側の側方に配置させておくと、ユーザが被充電機器Ｐを着脱する上で望ましい。しかしながら、充電装置１をファクシミリ装置２の手前側に配置させたとき、充電装置１の上面がファクシミリ装置２の上面から出っ張るようになり、ファクシミリ装置２の全体の見栄えを悪化させる。
【０００７】
そのため、充電装置１の装置高さをできる限り、低くすることが望まれる。しかしながら、装置高さを低くすると、図９および図１０に示すように、蓋体４が被充電機器Ｐに押圧されて軸９１周りに回転したとき、蓋体４の先端が端子部材９２に衝突してしまい、端子部材９２に損傷を与えるといった不都合が生じる。
【０００８】
この場合、蓋体４の前後方向における寸法を短くすることも考えられるが、蓋体４の前後方向における寸法を短くすると、被充電機器Ｐを充電装置１に載置させるとき、被充電機器Ｐを収容させるための十分な開口スペースを確保することが困難になるといった弊害が生じる。
【０００９】
本発明は、上記の点に鑑みて提案されたものであって、装置高さを低く抑えつつ、蓋体を良好に開閉することのできる充電装置を提供することを目的とする。
【００１０】
【課題を解決するための手段】
上記目的を達成するために、請求項１に記載した発明の充電装置は、本体と、この本体内に設けられ、充電されることにより動作可能な被充電機器を収容する収容部と、この収容部に設けられ、収容される前記被充電機器に対向するように突出した端子部材と、前記本体の内側に向けて退入するように支持され、前記本体の上面を覆う蓋体とを備え、前記蓋体を外部から押圧することにより前記蓋体を開放状態にするとともに、前記収容部に収容される前記被充電機器を、前記端子部材を介して充電するための充電装置であって、前記蓋体の両側端部から直交方向に延びた支持部材に形成された第１の案内部材と、前記本体の両側面に沿って設けられ、前記第１の案内部材と係合して相対移動する第２の案内部材を有する側板部材と、前記蓋体に対する前記被充電機器の押圧力に抗して前記蓋体を閉塞状態に付勢する弾性部材と、を備え、前記被充電機器によって前記蓋体が前記本体の内側に向けて押圧されるとき、一方の案内部材が前記蓋体の退入動作の軸とされつつ、他方の案内部材と係合して相対移動されることにより、前記蓋体の先端が前記端子部材を回避するようにして前記蓋体が移動するように構成されたことを特徴としている。ここで、第１の案内部材として突起部材が適用されたときは、第２の案内部材として案内孔が適用され、逆に第１の案内部材として案内孔が適用されたときは、第２の案内部材として突起部材が適用される。
【００１１】
このような充電装置によれば、被充電機器によって蓋体が押圧されるとき、一方の案内部材が蓋体の退入動作の軸とされつつ、他方の案内部材と係合して相対移動される。そのため、たとえば固定された軸周りに蓋体が開放動作する場合に比べ、蓋体の先端がなだらかな曲線を描くようにして蓋体が開放動作することになるので、蓋体の先端が端子部材を回避するようにして蓋体が開放動作する。したがって、装置高さを抑えつつ、蓋体が良好に開閉する充電装置を提供することができる。
【００１２】
また、請求項２に記載した発明の充電装置は、本体と、この本体内に設けられ、充電されることにより動作可能な被充電機器を収容する収容部と、この収容部に設けられ、収容される前記被充電機器に対向するように突出した端子部材と、前記本体の内側に向けて退入するように支持され、前記本体の上面を覆う蓋体とを備え、前記蓋体を外部から押圧することにより前記蓋体を開放状態にするとともに、前記収容部に収容される前記被充電機器を、前記端子部材を介して充電するための充電装置であって、前記蓋体の両側端部から直交方向に延びた支持部材に形成された第１の突起部材と、前記本体の両側面に沿って設けられ、前記第１の突起部材を案内するための略水平方向に延びた第１の案内孔を有する側板部材と、前記蓋体に対する前記被充電機器の押圧力に抗して前記蓋体を閉塞状態に付勢する弾性部材と、を備え、前記被充電機器によって前記蓋体が前記本体の内側に向けて押圧されるとき、前記第１の突起部材が前記蓋体の退入動作の軸とされつつ、前記第１の案内孔に沿ってスライド移動されることにより、前記蓋体の先端が前記端子部材を回避するようにして前記蓋体が移動するように構成されたことを特徴としている。
【００１３】
このような充電装置によれば、被充電機器によって蓋体が押圧されるとき、第１の突起部材が蓋体の退入動作の軸とされつつ、第１の案内孔に沿ってスライド移動される。そのため、たとえば固定された軸周りに蓋体が開放動作する場合に比べ、蓋体の先端がなだらかな曲線を描くようにして蓋体が開放動作することになるので、蓋体の先端が端子部材を回避するようにして蓋体が開放動作する。したがって、装置高さを抑えつつ、蓋体が良好に開閉する充電装置を提供することができる。
【００１４】
また、請求項３に記載した発明の充電装置は、請求項２に記載の充電装置であって、前記支持部材には、前記第１の突起部材の形成位置から前記支持部材の延出方向に所定間隔を隔てて第２の突起部材が形成されており、前記側板部材には、前記第１の突起部材を案内するための略湾曲状に延びた第２の案内孔が形成されており、前記被充電機器によって前記蓋体が前記本体の内側に向けて押圧される際、前記第２の突起部材が前記第２の案内孔に沿って案内されることにより、前記第１の突起部材の前記第１の案内孔におけるスライド移動の開始を補助する。
【００１５】
このような充電装置によれば、請求項２に記載の充電装置による効果に加え、被充電機器によって蓋体が押圧されるとき、第２の突起部材が第２の案内孔に沿って案内されることにより、第１の突起部材が第１の案内孔に沿ってスライド移動するときのその移動の開始を補助する。そのため、第１の突起部材をよりスムーズかつ確実にスライド移動させることができる。
【００１６】
また、請求項４に記載した発明の充電装置は、請求項３に記載の充電装置であって、前記第２の案内孔は、前記被充電機器によって前記蓋体が押圧されるとき、前記第２の突起部材が移動する第１の円弧部と、この第１の円弧部とは異なる曲率半径を有し、かつ前記第１の突起部材が前記第１の案内孔の終端部に到達したとき、その第１の突起部材を軸にしてこの軸周りに前記第２の突起部材が回転移動する第２の円弧部とを有する。
【００１７】
このような充電装置によれば、請求項３に記載の充電装置による効果に加え、第２の突起部材が第１の円弧部を移動するとき、第２の突起部材によって第１の突起部材の第１の案内孔内におけるスライド移動の開始を補助することができる。また、第１の突起部材が第１の案内孔の終端部に到達したとき、すなわち、蓋体の先端が端子部材を回避するようにして蓋体が開放移動した後、第２の突起部材が第２の円弧部を移動するとき、第１の突起部材を軸にしてこの軸周りに第２の突起部材が回転移動する。これにより、第２の突起部材は、比較的小さな回転半径で回転することができ、本体内の蓋体による開放容積を小さくすることができる。そのため、被充電機器の載置スペースを十分に確保しながら、蓋体を回転動作させることができる。
【００１８】
また、請求項５に記載した発明の充電装置は、請求項１ないし４のいずれかに記載の充電装置であって、前記蓋体の先端には、前記端子部材の汚れを除去するための除去部材が設けられている。
【００１９】
このような充電装置によれば、請求項１ないし４のいずれかに記載の充電装置による効果に加え、蓋体の先端に端子部材の汚れを除去するための除去部材が設けられているため、蓋体が開閉動作するたびに除去部材が端子部材に触れることにより、端子部材の汚れを除去することができる。
【００２０】
【発明の実施の形態】
以下、本発明の好ましい実施の形態について添付図面を参照して説明する。
【００２１】
図１は、本発明に係る充電装置の要部側面透視図である。図２は、図１に示す充電装置をＡ−Ａ方向に見た要部断面透視図である。なお、以下の説明では、従来の技術の欄で示した図８も再び参照する。
【００２２】
この充電装置１は、図８に示すように、ファクシミリ装置２の装置本体２ａに一体的に設けられている。すなわち、充電装置１は、装置本体２ａの左側面の適所に固着されている。この充電装置１は、充電されることによって動作可能な、たとえば携帯電話やコードレス子機などの被充電機器Ｐに対して充電を行うための装置である。
【００２３】
この充電装置１は、被充電機器Ｐを収容するための本体３を有している。本体３は、被充電機器Ｐが携帯可能であることから、それを載置させるための載置台としての機能を備えるとともに、被充電機器Ｐに対して充電を行うための充電器としての機能を兼ね備えている。すなわち、ユーザが被充電機器Ｐをこの本体３に載置させると、必要に応じて充電が行われる。
【００２４】
なお、被充電機器Ｐは、たとえば内部に機器全体の制御を司るマイクロコンピュータ（図示せず）を備えており、被充電機器Ｐの表面には、図２に示すように、数字キー、セレクトキー、およびその他の操作キーなどからなる操作部Ｐａと、動作状態や操作ガイダンスなどを表示するための、たとえば液晶ディスプレイパネルからなる表示部Ｐｂとが設けられている。また、充電装置１に充電される被充電機器としては、携帯電話などに代えて、ＭＤプレイヤやビデオカメラなどのバッテリーなどが適用されてもよい。
【００２５】
ファクシミリ装置２は、たとえばインクジェット方式の印刷機能、画像読取機能（スキャナ機能）、および画像の通信機能などの各機能を複合的に備えたものである。ファクシミリ装置２は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、このファクシミリ装置２は、たとえばパーソナルコンピュータに接続された状態で独立した形で印刷装置やスキャナとして利用することもできる。また、印刷機能と画像読取機能とを連動させることで、コピー機として利用することもできる。
【００２６】
ファクシミリ装置２は、図８に示したように、数字キー、ジョグダイヤルキー、およびその他の操作キーなどを備え、ユーザのキー操作による入力信号をＣＰＵに伝える操作部２ｂが設けられている。また、ファクシミリ装置２は、たとえば液晶ディスプレイパネルを備え、この液晶ディスプレイパネルに動作状態や操作ガイダンスなどを表示する表示部２ｃが設けられている。
【００２７】
また、ファクシミリ装置２は、たとえばファクシミリ装置２の全体動作を制御するＣＰＵを主として、ＲＡＭ、ＲＯＭ、およびＮＶＲＡＭ（不揮発性ＲＡＭ：Non-Volatile RAM）などが１チップで構成されたマイクロコンピュータ（いずれも図示略）を有している。
【００２８】
充電装置１の本体３は、側面視略三角形状の箱体からなり、その上部に開閉自在に支持された蓋体４が設けられている。蓋体４は、図１に示すように、手前側に向かって下側に傾斜した傾斜面に沿って形成された平面部４ａと、その上端から所定長さだけ延出された延出部４ｂとを有している。被充電機器Ｐが載置されない状態のときには、本体３の上面は、蓋体４によって覆われることになり、異物などの本体３内への侵入を防止することができる。
【００２９】
蓋体４の平面部４ａの両側端には、平面部４ａに対して直交方向に延びた支持片５がそれぞれ設けられている（図１では一方の支持片５のみを示す）。支持片５には、それに直交方向に立設した第１のボス６（第１の突起部材）、および第１のボス６から支持片５の延出方向に所定距離を隔てて立設した第２のボス７（第２の突起部材）が設けられている。また、蓋体４の平面部４ａの表面には、被充電機器Ｐが載置されたときのその表面に対する衝撃を和らげるための緩衝部材８が設けられている。
【００３０】
本体３の傾斜面下部には、蓋体４の先端が係止されるストッパ３ａが形成されている。また、本体３内には、図３に示すように、蓋体４に対する被充電機器Ｐの押圧力に抗して蓋体４を閉塞状態に付勢する弾性部材としての圧縮ばね９が設けられている。なお、上記弾性部材としては、圧縮ばねに代えて板ばねなどでもよい。
【００３１】
本体３の両側面の内側には、それらの両側面に沿ってそれぞれ配された側板部材１０が設けられている。側板部材１０には、その手前側の一側端から略水平方向に切り込まれつつ所定長さに形成された、上記第１のボス６を案内するための第１の案内孔１１と、第１の案内孔１１を囲むように略湾曲状に形成された、上記第２のボス７を案内するための第２の案内孔１２とが設けられている。蓋体４は、第１および第２のボス６，７が第１および第２の案内孔１１，１２に支持されることにより、側板部材１０によって支持されている。
【００３２】
第２の案内孔１２は、曲率半径が互いに異なる２つの円弧が連結された形状とされている。すなわち、第２の案内孔１２は、空間上に設けられる仮想点Ｑ（図４参照）を軸にしてその軸周りに第２のボス７が回転するように第２のボス７を案内する第１の円弧部１３と、第１の案内孔１１の終端位置に到達した第１のボス６（図５参照）を軸にしてその軸周りに第２のボス７が回転するように第２のボス７を案内する第２の円弧部１４とを有している。別言すれば、第１の円弧部１３は、図４に示す円弧Ｒ１に沿って形成されており、第２の円弧部１４は、図５に示す円弧Ｒ２に沿って形成されている。
【００３３】
図１に戻り、本体３には、被充電機器Ｐを収容するための収容部１６が設けられている。収容部１６には、載置板１７が取り付けられている。載置板１７は、被充電機器Ｐの底部と一部が当接される底板部１８と、被充電機器Ｐが載置されたとき、被充電機器Ｐの背面が蓋体４を介して間接的に当接される背もたれ部１９とを有している。底板部１８は、奥行き方向に進むほど下側に傾斜しており、中央部分から若干屈曲されて傾斜が大となっている。すなわち、底板部１８の中央部分から奥行方向に進む部分には、回転動作された蓋体４が底板部１８に衝突しないように逃げ部としての空間スペースが形成されている。背もたれ部１９は、底板部１８に対して略直交方向に延びている。
【００３４】
また、収容部１６の底板部１８には、複数の開口（図示せず）が形成されており、本体３には、この開口から出没可能な２つの端子部材２１ａ，２１ｂ（以下、総称するときは「端子部材２１」という）が設けられている。この端子部材２１は、本体３に被充電機器Ｐが載置されたとき、被充電機器Ｐの底部に設けられた電極部Ｐｃ（図２参照）に接触するものである。たとえば、図２における左側の端子部材２１ａは、プラス側の端子部材とされ、図２における右側の端子部材２１ｂは、マイナス側の端子部材とされている。
【００３５】
端子部材２１は、本体３に内装された、充電機能を実現するための種々の回路素子（図示略）が実装された回路基板２２に接続されている。この回路基板２２は、ファクシミリ装置２の内部に設けられたレギュレータ（図示略）に接続されている。レギュレータは、商用電源（交流電圧）を直流電圧に変換して上記回路基板２２に供給するものである。すなわち、被充電機器Ｐがこの本体３に載置されたとき、上記端子部材２１が被充電機器Ｐの電極部Ｐｃに接触されることにより、レギュレータによって変換された直流電圧が回路基板２２、端子部材２１および電極部Ｐｃを介して被充電機器Ｐに供給され、充電が行われる。
【００３６】
端子部材２１は、たとえば線細工ばねによって構成されており、回路基板２２に当接支持されている。端子部材２１は、一部が上方に突出した凸状に形成され、凸状部分の先端が被充電機器Ｐの電極部Ｐｃと接触される。端子部材２１は、通常状態で（本体３に被充電機器Ｐが載置されていない状態で）、収容部１６の底板部１８から上方に向けて突出しているが、本体３に被充電機器Ｐが載置されたとき、被充電機器Ｐの電極部Ｐｃによって押圧され、本体３の内側に後退するようになっている。なお、端子部材２１は、板ばねによって構成されていてもよい。
【００３７】
次に、上記構成における作用について説明する。
【００３８】
この充電装置１では、被充電機器Ｐが上方から蓋体４を押圧することにより、蓋体４を開放させ、その後、被充電機器Ｐが本体３に収容されるようになっている。まず、図１における被充電機器Ｐが載置されていない状態において、図４に示すように、被充電機器Ｐが蓋体４を上方から押圧すると、第２のボス７は、その押圧力に応じて第２の案内孔１２の第１の円弧部１３内を移動する。第２のボス７の移動によって、第１のボス６は、第１の案内孔１１内における移動を開始する。すなわち、第２のボス７は、第１のボス６の移動開始を補助するように機能し、第１のボス６をよりスムーズかつ確実にスライド移動させることができる。
【００３９】
次いで、第２のボス７が第１の円弧部１３に沿って移動するとともに、第１のボス６が第１の案内孔１１に沿って移動し、第１の案内孔１１の終端部に到達する（図４参照）。このとき、第１のボス６は、蓋体４の退入動作の軸とされつつ、第１の案内孔１１に沿ってスライド移動される。また、蓋体４は被充電機器Ｐによって上方から押圧されるため、蓋体４は、その先端が、図６に示すように、なだらかな曲線軌跡Ｓ１を描くように移動する。
【００４０】
すなわち、従来の構成では、蓋体の回転軸が固定されていたために、蓋体が回転軸周りに回転すると、蓋体の先端が端子部材に衝突し、装置高さを長くせざるを得なかったが（図９，図１０参照）、上記のように、蓋体４の回転軸に相当する第１のボス６を第１の案内孔１１に沿ってスライド移動させながら、蓋体４を開放させることにより、蓋体４の先端が、図６に示すように、なだらかな曲線軌跡Ｓ１上を進行することになるため、蓋体４の先端が端子部材２１に衝突するのを回避することができる。
【００４１】
次いで、さらに被充電機器Ｐが蓋体４を押圧すると、図５に示すように、第２のボス７は、第１の案内孔１１の終端部に到達した第１のボス６を軸としてその軸周りに第２の円弧部１４内を移動する。そのため、蓋体４の先端は、図６に示すように、屈曲点Ｓを越えると、曲線軌跡Ｓ１とは異なる、なだらかな曲線軌跡Ｓ２上を進行することになる。
【００４２】
そして、第２のボス７が第２の円弧部１４の終端部に到達すると、蓋体４は、背もたれ部１９に当接され、蓋体４の開放状態を維持する。また、被充電機器Ｐは、その底部が底板部１８に接するとともに、その背面の一部が蓋体４と当接する。また、底部の電極部Ｐｃが端子部材２１と接触する。
【００４３】
ここで、第２のボス７は、第１の案内孔１１の終端に到達した第１のボス６を軸としてその軸周りに回転することにより、比較的小さな回転半径で回転することができる。すなわち、本体３の蓋体４による開放容積を小さくすることができ、つまり、被充電機器Ｐの載置スペースが必要以上に大きくならないようにすることができる。
【００４４】
このように、被充電機器Ｐによって蓋体４が押圧されるとき、第１のボス６が蓋体４の退入動作の軸とされつつ、第１の案内孔１１に沿ってスライド移動されることにより、蓋体４の先端がなだらかな曲線を描くようにして、すなわち、蓋体４の先端が端子部材２１を回避するようにして蓋体４が開放動作する。したがって、装置高さを抑えながら、すなわち装置の小型化を図りながら、蓋体４を良好に開放させることができる。
【００４５】
なお、被充電機器Ｐが載置された状態から再度、充電装置１から脱離したとき、圧縮ばね９（図３参照）の付勢力により、蓋体４は、本体３の上面を閉塞状態にさせる。
【００４６】
図７は、蓋体４の変形例を示す図であるが、蓋体４の先端には、蓋体４の延出方向に延びるように端子部材２１の汚れを除去するための除去部材としてのブラシ２５が設けられていてもよい。このように、蓋体４の先端にブラシ２５が設けられることにより、蓋体４が開閉動作するたびにブラシ２５が端子部材２１に触れることになり、端子部材２１の汚れを除去することができるといった利点を有する。なお、除去部材としては、上記ブラシに限らず、たとえば綿製のものが適用されてもよい。
【００４７】
なお、本願発明は、上記実施形態に限定されるものではない。たとえば、第１および第２のボス６，７、並びに第１および第２の案内孔１１，１２の配置位置は、本体３内における端子部材２１の配置位置によって種々の位置に設計変更可能である。また、上記実施形態では、第１のボス６および第２のボス７は蓋体４側に、第１の案内孔１１および第２の案内孔１２は本体３側に、それぞれ設けられていたが、これに代えて、第１のボス６および第２のボス７は本体３側に、第１の案内孔１１および第２の案内孔１２は蓋体４側に、それぞれ設けられていてもよい。
【００４８】
【発明の効果】
以上説明したように、請求項１に記載した発明の充電装置によれば、被充電機器によって蓋体が押圧されるとき、一方の案内部材が蓋体の退入動作の軸とされつつ、他方の案内部材と係合して相対移動される。そのため、たとえば固定された軸周りに蓋体が開放動作する場合に比べ、蓋体の先端がなだらかな曲線を描くようにして蓋体が開放動作することになるので、蓋体の先端が端子部材を回避するようにして蓋体が開放動作する。したがって、装置高さを抑えつつ、蓋体が良好に開閉する充電装置を提供することができる。
【００４９】
また、請求項２に記載した発明の充電装置によれば、被充電機器によって蓋体が押圧されるとき、第１の突起部材が蓋体の退入動作の軸とされつつ、第１の案内孔に沿ってスライド移動される。そのため、たとえば固定された軸周りに蓋体が開放動作する場合に比べ、蓋体の先端がなだらかな曲線を描くようにして蓋体が開放動作することになるので、蓋体の先端が端子部材を回避するようにして蓋体が開放動作する。したがって、装置高さを抑えつつ、蓋体が良好に開閉する充電装置を提供することができる。
【００５０】
また、請求項３に記載した発明の充電装置によれば、請求項２に記載の充電装置による効果に加え、被充電機器によって蓋体が押圧されるとき、第２の突起部材が第２の案内孔に沿って案内されることにより、第１の突起部材が第１の案内孔に沿ってスライド移動するときのその移動の開始を補助する。そのため、第１の突起部材をよりスムーズかつ確実にスライド移動させることができる。
【００５１】
さらに、請求項４に記載した発明の充電装置によれば、請求項３に記載の充電装置による効果に加え、第２の突起部材が第１の円弧部を移動するとき、第２の突起部材によって第１の突起部材の第１の案内孔内におけるスライド移動の開始を補助することができる。また、第１の突起部材が第１の案内孔の終端部に到達したとき、すなわち、蓋体の先端が端子部材を回避するようにして蓋体が開放移動した後、第２の突起部材が第２の円弧部を移動するとき、第１の突起部材を軸にしてこの軸周りに第２の突起部材が回転移動する。これにより、第２の突起部材は、比較的小さな回転半径で回転することができ、本体内の蓋体による開放容積を小さくすることができる。そのため、被充電機器の載置スペースを十分に確保しながら、蓋体を回転動作させることができる。
【００５２】
さらに、請求項５に記載した発明の充電装置によれば、請求項１ないし４のいずれかに記載の充電装置による効果に加え、蓋体の先端に端子部材の汚れを除去するための除去部材が設けられているため、蓋体が開閉動作するたびに除去部材が端子部材に触れることにより、端子部材の汚れを除去することができる。
【図面の簡単な説明】
【図１】本願発明に係る充電装置の側面透視図である。
【図２】図１の充電装置のＡ−Ａ方向に見た要部断面透視図である。
【図３】充電装置の内部構成を示す側面透視図である。
【図４】被充電機器が蓋体を押圧するときの状態を示す充電装置の側面透視図である。
【図５】被充電機器が載置された後の状態を示す充電装置の側面透視図である。
【図６】充電装置の先端の移動軌跡を示す図である。
【図７】蓋体の変形例を示す図である。
【図８】従来の充電装置が適用されるファクシミリ装置の外観図である。
【図９】従来の、被充電機器が載置される前の状態を示す充電装置の側面透視図である。
【図１０】従来の、被充電機器が蓋体を押圧するときの状態を示す充電装置の側面透視図である。
【符号の説明】
１    充電装置
２    ファクシミリ装置
３    本体
４    蓋体
６    第１のボス（第１の突起部材）
７    第２のボス（第２の突起部材）
１１    第１の案内孔
１２    第２の案内孔
２１    端子部材
Ｐ    被充電機器
【図１】
2004215330.tif 000003
【図２】
2004215330.tif 000004
【図３】
2004215330.tif 000005
【図４】
2004215330.tif 000006
【図５】
2004215330.tif 000007
【図６】
2004215330.tif 000008
【図７】
2004215330.tif 000009
【図８】
2004215330.tif 000010
【図９】
2004215330.tif 000011
【図１０】
2004215330.tif 000012